(57)【要約】【課題】レンズホルダの軽量化を図ることができるとともに、対物レンズの振動を効果的に抑えることのできる光ヘッド装置を提供すること。【解決手段】光ヘッド装置１のレンズホルダ３において、コイル保持部３１については、２本の腕部３１１、３１２が突き出た構造にして、一方端が低剛性部３１０としての開口するコの字形状の平面形状に形成にし、その内側に駆動コイル５を粘弾性を有する接着剤９で接着固定する。このため、レンズホルダ３に発生する振動は、コイル保持部３１に集中するとともに、ここで、駆動コイル５をウエイトとするダンパによって効率よく吸収される。【選択図】      図１
2004171679.tif 000002
【特許請求の範囲】
【請求項１】
対物レンズおよび駆動コイルが搭載されたレンズホルダと、該レンズホルダをトラッキング方向およびフォーカシング方向に移動可能に支持する支持部材とを有する光ヘッド装置において、
前記レンズホルダは、前記駆動コイルを保持するコイル保持部と、前記対物レンズを保持するレンズ保持部とを有し、
前記コイル保持部には、当該コイル保持部の剛性を低下させるための低剛性部が形成されているとともに、
前記駆動コイルは、前記コイル保持部に対して粘弾性を有する接着剤により固定されていることを特徴とする光ヘッド装置。
【請求項２】
請求項１において、前記レンズホルダは、前記レンズ保持部が前記コイル保持部から一方に突き出た平面形状を有していることを特徴とする光ヘッド装置。
【請求項３】
請求項１または２において、前記コイル保持部は、一方端が前記低剛性部として開口するコの字形状の平面形状を備え、
前記駆動コイルは、当該コの字形状の前記コイル保持部の内側に前記接着剤により接着固定されていることを特徴とする光ヘッド装置。
【請求項４】
請求項１または２において、前記コイル保持部は、矩形の平面形状を有しているとともに、当該矩形の少なくとも１辺に相当する部分に前記低剛性部としての肉薄部を備えていることを特徴とする光ヘッド装置。
【発明の詳細な説明】
【０００１】
【発明の属する技術分野】
本発明は、光記録媒体の記録、再生に用いられる光ヘッド装置に関するものである。さらに詳しくは、この光ヘッド装置における対物レンズの共振抑制技術に関するものである。
【０００２】
ＣＤ、ＣＤ−Ｒ、ＤＶＤなどの光記録媒体の記録、再生を行う光ヘッド装置は、例えば、図４に示すように、対物レンズ２を保持するレンズホルダ３と、このレンズホルダ３を支持する４本のワイヤー４と、レンズホルダ３に固着されたフォーカシング用の駆動コイル５およびトラッキング用の駆動コイル６と、これらの駆動コイル５、６に対して鎖交する磁束を発生する駆動マグネット７、８とを有している。
【０００３】
レンズホルダ３は、その中心位置に対物レンズ２が配置されているものがあるが、ここに示す光ヘッド装置において、レンズホルダ３は、駆動コイル５、６を保持するコイル保持部３１と、コイル保持部３１から先端側に向けて突出して上面で対物レンズ２を保持するレンズ保持部３５とを有している。
【０００４】
ここで、コイル保持部３１は、等しい肉厚で矩形に形成され、その内周面に対して、駆動コイル５は粘弾性を有しない硬い接着剤９′で接着固定されている。
【０００５】
このように構成した光ヘッド装置において、駆動コイル５、６に通電すると、それによって発生したローレンツ力によって、対物レンズ２を保持するレンズホルダ３をフォーカシング方向およびトラッキング方向に駆動することができる。その際に、対物レンズ２が振動し続けると、光記録媒体の記録、再生を適正に行うことができない。このような振動に関して、レンズホルダ３の中心位置に対物レンズ２が配置されているものでは、レンズホルダ３の重心位置が対物レンズ２の中心に重なっていて共振が起こりにくく、かつ、共振が起こっても影響が表面化しにくい傾向にあるが、図４に示す光ヘッド装置のように、コイル保持部３１からレンズ保持部３５が張り出した構造では、共振が起こりやすく、かつ、対物レンズ２に共振の影響が出やすい傾向にある。
【０００６】
そこで、レンズ保持部３１の剛性を高めることにより、共振周波数を上げてその影響を抑える技術が採用されていたが、近年の光ヘッド装置に対する薄型化要求から、レンズ保持部３１については薄型化が進められている。
【０００７】
このため、薄型化しても共振の影響を抑えることができるように、レンズ保持部３１については、コイル保持部３１と略等幅な広幅部３５１を設け、この広幅部３５１から先端側３５２を対物レンズ２の周りを大きく囲むような平面形状とすることにより対物レンズ２の周辺に広い面積を確保し、レンズ保持部３５の剛性を高めている。
【０００８】
【発明が解決しようとする課題】
しかしながら、レンズホルダ３での共振を抑える方法として、例えば、平面積を広げてレンズホルダ３の剛性を高め、光ヘッド装置の機能に対する振動の影響を低減しようとすると、振動低減への効果が小さいわりにはレンズホルダ３が重くなってしまい、好ましくない。
【０００９】
以上の問題点に鑑みて、本発明の課題は、レンズホルダの軽量化を図ることができるとともに、対物レンズの振動を効果的に抑えることのできる光ヘッド装置を提供することにある。
【００１０】
【課題を解決するための手段】
上記課題を解決するために、本発明では、請対物レンズおよび駆動コイルが搭載されたレンズホルダと、該レンズホルダをトラッキング方向およびフォーカシング方向に移動可能に支持する支持部材とを有する光ヘッド装置において、前記レンズホルダは、前記駆動コイルを保持するコイル保持部と、前記対物レンズを保持するレンズ保持部とを有し、前記コイル保持部には、当該コイル保持部の剛性を低下させるための低剛性部が形成されているとともに、前記駆動コイルは、前記コイル保持部に対して粘弾性を有する接着剤により固定されていることを特徴とする。
【００１１】
本発明では、コイル保持部に切り欠きや肉薄部分からなる低剛性部を設けて、レンズホルダの軽量化を図ってある。また、この低剛性部をコイル保持部に設けてコイル保持部の剛性を低下させることによりレンズホルダに発生する振動をコイル保持部の側に集中させ、かつ、粘弾性を有する接着剤で駆動コイルをコイル保持部に接着固定することにより、駆動コイルをウエイトとするダンパによって、コイル保持部に集中させた振動を効率よく吸収している。従って、レンズホルダの軽量化を図ることができるとともに、対物レンズの振動を効果的に抑えることができる。
【００１２】
本発明は、前記レンズ保持部が前記コイル保持部から一方に突き出た平面形状を有しているレンズホルダを有する光ヘッド装置に適用すると効果が大きい。
【００１３】
本発明において、前記コイル保持部は、例えば、一方端が前記低剛性部として開口するコの字形状の平面形状を備え、前記駆動コイルは、当該コの字形状の前記コイル保持部の内側に前記接着剤により接着固定されている。
【００１４】
本発明において、前記コイル保持部は、例えば、矩形の平面形状を有しているとともに、当該矩形の少なくとも１辺に相当する部分に前記低剛性部としての肉薄部を備えている。
【００１５】
【発明の実施の形態】
図面を参照して、本発明の実施の形態を説明する。なお、以下に説明する実施の形態は、基本的な構成が従来のものと共通しているので、共通する部分には同一の符号を付して説明する。
【００１６】
［実施の形態１］
図１（Ａ）、（Ｂ）はそれぞれ、本発明の実施の形態１に係る光ヘッド装置の要部の構成を示す平面図、および斜視図である。なお、図１（Ｂ）には、ワイヤーや駆動マグネットなどの図示を省略してある。
【００１７】
図１において、本形態の光ヘッド装置１は、ＣＤ、ＣＤ−Ｒ、ＤＶＤなどの光記録媒体の記録、再生を行うためのものであり、対物レンズ２を保持するレンズホルダ３と、このレンズホルダ３を４本のワイヤー４（支持部材）を介して支持する固定部材（図示せず）と、レンズホルダ３に固着されたフォーカシング用の駆動コイル５およびトラッキング用の駆動コイル６と、これらの駆動コイル５、６に対して鎖交する磁束を発生する駆動マグネット７、８とを有している。駆動コイル５、６に対する駆動回路（図示せず）は固定部材の側に配置され、駆動コイル５、６に対する給電はワイヤー４を給電ラインとして行われる。
【００１８】
レンズホルダ３は、駆動コイル５、６を保持するコイル保持部３１と、コイル保持部３１から先端側に向けて突出して上面で対物レンズ２を保持するレンズ保持部３５とを有している。
【００１９】
本形態の光ヘッド装置１において、レンズ保持部３５は、レンズ保持部３５の下方位置に斜め配置される全反射ミラーなどの偏向素子との干渉を回避できるようにコイル保持部３１よりもかなり薄く形成され、コイル保持部３５が軽量化されている。
【００２０】
但し、レンズ保持部３５を薄くすると、レンズ保持部３５は、剛性が低下し、かつ、軽くなるため、このままではレンズ保持部３５が共振しやすくなる。それでも本形態では、コイル保持部３５の剛性を高めるという手法を採用せずに、逆に、レンズ保持部３５については、コイル保持部３１から等幅に延びた広幅部３５６、この広幅部３５６との境界部分で大きく内側に屈曲して側面が斜めになっている傾斜部３５７と、この傾斜部３５７から先端側３で対物レンズ２の外周縁に沿う円弧部３５８とを備えた平面形状として、レンズホルダ３の軽量化を図ってある。
【００２１】
一方、コイル保持部３１については、２本の腕部３１１、３１２が突き出た構造にして、一方端が低剛性部３１０としての開口するコの字形状の平面形状に形成してある。このようにして、コイル保持部３１については、軽量化を図るとともに、剛性を低下させてある。ここで、フォーカシング用の駆動コイル５は、コイル保持部３１から約半分がはみ出た状態にある。
【００２２】
また、本形態では、フォーカシング用の駆動コイル５については、コの字形状のコイル保持部３１の内側に、粘弾性を有する接着剤９により接着固定してある。このため、コイル保持部３１には、駆動コイル５をウエイトとするダンパが構成されている。
【００２３】
このように構成した光ヘッド装置１において、駆動コイル５、６に通電すると、それによって発生したローレンツ力によって、対物レンズ２を保持するレンズホルダ３をフォーカシング方向およびトラッキング方向に駆動することができる。
【００２４】
ここで、レンズホルダ３のコイル保持部３１については、２本の腕部３１１、３１２が突き出た構造にして、一方端が低剛性部３１０としての開口するコの字形状の平面形状に形成し、コイル保持部３１の軽量化を図ってある。また、コイル保持部３１に低剛性部３１０を形成してコイル保持部３１の剛性を低下させ、レンズホルダ３に発生する振動をコイル保持部３１の側に集中させる一方、コイル保持部３１には、駆動コイル５をウエイトとするダンパが構成されている。従って、レンズホルダ３に発生する振動は、駆動コイル５をウエイトとするダンパによって効率よく吸収される。従って、本形態によれば、レンズホルダ３を軽量化しても、対物レンズ２に共振が発生しない。
【００２５】
［実施の形態２］
図２（Ａ）、（Ｂ）はそれぞれ、本発明の実施の形態２に係る光ヘッド装置の要部の構成を示す平面図、および斜視図である。なお、図２（Ｂ）には、ワイヤーや駆動マグネットなどの図示を省略してある。
【００２６】
図２において、本形態の光ヘッド装置１も、実施の形態１と同様、対物レンズ２を保持するレンズホルダ３と、このレンズホルダ３を４本のワイヤー４（支持部材）を介して支持する固定部材（図示せず）と、レンズホルダ３に固着されたフォーカシング用の駆動コイル５およびトラッキング用の駆動コイル６と、これらの駆動コイル５、６に対して鎖交する磁束を発生する駆動マグネット７、８とを有している。
【００２７】
レンズホルダ３は、駆動コイル５、６を保持するコイル保持部３１と、コイル保持部３１から先端側に向けて突出して上面で対物レンズ２を保持するレンズ保持部３５とを有している。
【００２８】
コイル保持部３１については、実施の形態１と同様、広幅部３５６、傾斜部３５７、および円弧部３５８から構成して、レンズホルダ３の軽量化を図ってある。
【００２９】
これに対して、コイル保持部３１については、実施の形態１と違って、駆動コイル５を囲むように矩形形状に形成されているが、その４辺３１６、３１７、３１８、３１９のうち、辺３１６全体と、辺３１７、３１８の約半分については、低剛性部３１０として肉薄に形成し、コイル保持部３１の軽量化を図るとともに、コイル保持部３１の剛性を低下させて、レンズホルダ３に発生する振動をコイル保持部３１の側に集中させてある。
【００３０】
また、本形態でも、フォーカシング用の駆動コイル５については、矩形のコイル保持部３１の内側に、粘弾性を有する接着剤９により接着固定してあり、コイル保持部３１には、駆動コイル５をウエイトとするダンパが構成されている。
【００３１】
このように構成した光ヘッド装置１においても、コイル保持部３１の側に集中した振動は、駆動コイル５をウエイトとするダンパによって効率よく吸収される。従って、本形態によれば、レンズホルダ３を軽量化しても、対物レンズ２に共振が発生しない。
【００３２】
［その他の実施の形態］
なお、上記形態１、２では、切り欠き（欠落部分）の形成や肉薄化によって低剛性部３１０を形成したが、剛性の低い材料を部分的に用いて低剛性部を形成してもよい。
【００３３】
また、上記形態１、２では、ワイヤーサスペンジョンタイプのアクチュエータを備えた光ヘッド装置に本発明を適用した例を示したが、図３に示す軸摺動回動タイプのアクチュエータを備えた光ヘッド装置に本発明を適用してもよい。
【００３４】
この軸摺動回動タイプのアクチュエータを備えた光ヘッド装置は、図３に示すように、対物レンズ２を保持するレンズホルダ１０３と、このレンズホルダ１０３をフォーカシング方向およびトラッキング方向に移動可能に支持する支軸１０４（支持部材）と、レンズホルダ１０３に固着されたフォーカシング用の駆動コイル１０５およびトラッキング用の駆動コイル１０６と、これらの駆動コイル１０５、１０６に対して鎖交する磁束を発生する駆動マグネット１０７、１０８とを有している。
【００３５】
このような構成のレンズホルダ１０３も、駆動コイル１０５、１０６を保持するコイル保持部１３１と、コイル保持部１３１から先端側に向けて突出して上面で対物レンズ２を保持するレンズ保持部１３５とを有している。
【００３６】
従って、コイル保持部１３１に対して、切り欠き（欠落部分）の形成や肉薄化によって低剛性部を形成してコイル保持部１３１の剛性を低下する一方、駆動コイル１０５を、粘弾性を有する接着剤で固定し、駆動コイル１０５をウエイトとするダンパを構成すればよい。
【００３７】
【発明の効果】
以上説明したように、本発明においては、コイル保持部に切り欠きや肉薄部分からなる低剛性部を設けて、レンズホルダの軽量化を図ってある。また、コイル保持部に低剛性部を設けてコイル保持部の剛性を低下させ、レンズホルダに発生する振動をコイル保持部の側に集中させ、かつ、粘弾性を有する接着剤で駆動コイルをコイル保持部に接着固定することにより、駆動コイルをウエイトとするダンパ機構によって、コイル保持部に集中させた振動を効率よく吸収している。従って、レンズホルダの軽量化を図ることができるとともに、対物レンズの振動を効果的に抑えることができる。
【図面の簡単な説明】
【図１】（Ａ）、（Ｂ）はそれぞれ、本発明の実施の形態１に係る光ヘッド装置の要部の構成を示す平面図、および斜視図である。
【図２】（Ａ）、（Ｂ）はそれぞれ、本発明の実施の形態２に係る光ヘッド装置の要部の構成を示す平面図、および斜視図である。
【図３】軸摺動回動タイプの光ヘッド装置の説明図である。
【図４】（Ａ）、（Ｂ）はそれぞれ、従来の光ヘッド装置の要部の構成を示す平面図、および斜視図である。
【符号の説明】
１  光ヘッド装置
２  対物レンズ
３、１０３  レンズホルダ
４  ワイヤー（支持部材）
５、６、１０５、１０６  駆動コイル
７、８、１０７、１０８  駆動マグネット
３１、１３１  コイル保持部
３５、１３５  レンズ保持部
１０４  支軸（支持部材）
３１０  低剛性部
【図１】
2004171679.tif 000003
【図２】
2004171679.tif 000004
【図３】
2004171679.tif 000005
【図４】
2004171679.tif 000006